(57)【要約】【課題】  カードスウイープ方式によって二次元バーコードを読み取ることのできるバーコード読取装置の提供。【解決手段】  カードスウイープのスロットを有するケースと、該ケースの内に設けられるサポートのサブシステムからなるバーコード読取装置であって、サポートのサブシステムは、サポートと、サポートを形成する一の側面に固定される光学読取モジュール、回路基板及びサポートの他の側面から一の側面に向かって固定される光学読取モジュールへカードを押圧するカード押しスプリングと、スロットの流れ方向に沿って配設されるカードの走行を感知する第一及び第二のカード感知器と、光学読取モジュールは、カードスウイープのスロットの走行方向に対して垂直に設けられるラインアレイ光電センサー或はエリアアレイ光電センサーを有し、光学読取モジュール及び第一と第二のカード感知器は、前記回路基板と電気的に接続されていることを特徴とする。【選択図】  図１
0003102600.tif 000002
【実用新案登録請求の範囲】
【請求項１】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続されていることを特徴とするバーコード読取装置。
【請求項２】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記サポートのサブシステムは、前記回路基板にあって、読取状態を表わす発音デバイスをさらに含むことを特徴とするバーコード読取装置。
【請求項３】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記サポートのサブシステムは、前記回路基板にあって、読取状態を表わす発光デバイスをさらに含むことを特徴とするバーコード読取装置。
【請求項４】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記サポートのサブシステムは、計算装置に接続されるとともに、前記回路基板に電気的に接続されるインタフエース接続部品をさらに含むことを特徴とするバーコード読取装置。
【請求項５】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記光学読取モジュールは、読み取りされる図形を照射する光源と、読み取りされる図形から反射する光を受けて、前記反射光を集光するレンズと、レンズで集光される透過光を電気信号に変換する光電センサーとを含むことを特徴とするバーコード読取装置。
【請求項６】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記回路基板は、
電源スイッチと、
第一と第二のカード感知器の信号に応じてバーコード読取装置の始動、実行と停止を制御するプロセッサーと、
前記プロセッサーと前記計算装置の間に接続されるインタフエースのモジュールと、
該マイクロプロセッサーに接続されるとともに、原稿を光学読み取りして得られるアナログ信号をディジタル信号に変換するＡ/Ｄ変換器と、
前記Ａ/Ｄ変換器から出力するシリアルなディジタル信号をロックアップし、８ビットのパラレルなディジタル信号に変換するプログラマブル論理デバイスを設けることを特徴とするバーコード読取装置。
【請求項７】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記回路基板は、
電源スイッチと、
第一と第二のカード感知器の信号に応じてバーコード読取装置の始動、実行と停止を制御するプロセッサーと、
前記プロセッサーと前記計算装置の間に接続されるインタフエースのモジュールと、
該マイクロプロセッサーに接続されるとともに、原稿を光学読み取りして得られるアナログ信号をディジタル信号に変換するＡ/Ｄ変換器と、
前記Ａ/Ｄ変換器から出力するシリアルなディジタル信号をロックアップし、８ビットのパラレルなディジタル信号に変換するプログラマブル論理デバイスを設け、
前記回路基板は、前記プロセッサーと送受信可能に接続されるとともに、デコードプログラムを蓄積するフラッシュメモリと、前記デコードプログラムを実行するとともに、読み取りされる二次元バーコードを含む情報をレジュームするための内部メモリをさらに備えることを特徴とするバーコード読取装置。
【請求項８】
カードスウイープのスロットを有するケースと、該ケースの内に設けられるサポートのサブシステムからなるバーコード読取装置であって、
前記サポートのサブシステムは、
前記カードスウイープのスロットと同様の形状に形成されるサポートと、
該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、
前記スロットの流れ方向に沿うとともに、前記光学読取モジュールを間に挟んで相対的に配設されるカードの走行を感知する第一及び第二のカード感知器と、
前記光学読取モジュールは、前記カードスウイープのスロットの走行方向に対して垂直に設けられるラインアレイ光電センサー或はエリアアレイ光電センサーを有し、
前記光学読取モジュール及び第一と第二のカード感知器は、前記回路基板と電気的に接続され、
前記ケースは、前記カードスウイープのスロットを有するカバーと、前記カバーの下部に設けられる底蓋からなり、前記サポートのサブシステムは前記カバーの内に固定されていることを特徴とするバーコード読取装置。
【考案の詳細な説明】
【技術分野】
【０００１】
本考案は、バーコード読取装置に関し、より詳しくは、特にカードを走行させるスロットを有し、カードスウイープ方式によって二次元バーコードを読み取ることのできるバーコード読取装置に関する。
【背景技術】
【０００２】
二次元バーコードの読み取り技術を証明カードの分野に応用しようとする場合、カードスウイープ式読取装置を利用することが考えられる。
しかしながら、従来のバーコードカードスウイープ装置は、点光電変換器から構成されている装置であるため、一次元バーコードしか読み取ることができないカードスウイープ装置であった。米国特許第４,７４０,６７５号（バーコードの微分信号のスレシュホールドの比較機能を具有するディジタルバーコードのスロット式読取器(Digital bar code slot reader with threshold comparison of the differentiated bar code signal)）に、光電変換装置で一次元バーコードを読み取るカードスウイープ装置が開示されている。
この読み取り方法は、主にカードスウイープのスロットに読取窓を設置し、窓に点状の光電変換器を取り付けることによって実施されるものであった。
【０００３】
ＰＤＦ４１７をプリントしている証明カードを読み取るためのＳｙｍｂｌｏ６２０タイプのカード差込式二次元バーコード読取装置が市場に出回っている。
この装置は、使用時にユーザーが下に証明カードを押し当て、装置が証明カードを読み取りを終了した後に、この読取装置が読取に成功又は失敗したかの判断を表わす音を出す。
しかしながら、このカード差込式バーコード読取装置は、使用者にとって使用方法が容易でない問題点を有していた。
又、装置自体の読取の速度が遅いことや、読取されるカードが一定の硬度を必要とするため、カードの材質が限定される問題点、更に挿入されるカードのスロットが制限されているので、このタイプの読取装置では、所定規格のカードしか読み取ることができない問題点等を有していた。
【０００４】
【特許文献１】米国特許第４,７４０,６７５号明細書
【考案の開示】
【考案が解決しようとする課題】
【０００５】
本考案は、このような実情に鑑みてなされたもので、上記する問題点を解決することであり、特にカードを走行させるスロットを有し、カードスウイープ方式によって二次元バーコードを読み取ることのできるバーコード読取装置を提供することである。
【課題を解決するための手段】
【０００６】
請求項１記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続されていることを特徴とするバーコード読取装置を提供する。
【０００７】
請求項２記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記サポートのサブシステムは、前記回路基板にあって、読取状態を表わす発音デバイスをさらに含むことを特徴とするバーコード読取装置を提供する。
【０００８】
請求項３記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記サポートのサブシステムは、前記回路基板にあって、読取状態を表わす発光デバイスをさらに含むことを特徴とするバーコード読取装置を提供する。
【０００９】
請求項４記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記サポートのサブシステムは、計算装置に接続されるとともに、前記回路基板に電気的に接続されるインタフエース接続部品をさらに含むことを特徴とするバーコード読取装置を提供する。
【００１０】
請求項５記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記光学読取モジュールは、読み取りされる図形を照射する光源と、読み取りされる図形から反射する光を受けて、前記反射光を集光するレンズと、レンズで集光される透過光を電気信号に変換する光電センサーとを含むことを特徴とするバーコード読取装置を提供する。
【００１１】
請求項６記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記回路基板は、電源スイッチと、第一と第二のカード感知器の信号に応じてバーコード読取装置の始動、実行と停止を制御するプロセッサーと、前記プロセッサーと前記計算装置の間に接続されるインタフエースのモジュールと、該マイクロプロセッサーに接続されるとともに、原稿を光学読み取りして得られるアナログ信号をディジタル信号に変換するＡ/Ｄ変換器と、前記Ａ/Ｄ変換器から出力するシリアルなディジタル信号をロックアップし、８ビットのパラレルなディジタル信号に変換するプログラマブル論理デバイスを設けることを特徴とするバーコード読取装置を提供する。
【００１２】
請求項７記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記回路基板は、電源スイッチと、第一と第二のカード感知器の信号に応じてバーコード読取装置の始動、実行と停止を制御するプロセッサーと、前記プロセッサーと前記計算装置の間に接続されるインタフエースのモジュールと、該マイクロプロセッサーに接続されるとともに、原稿を光学読み取りして得られるアナログ信号をディジタル信号に変換するＡ/Ｄ変換器と、前記Ａ/Ｄ変換器から出力するシリアルなディジタル信号をロックアップし、８ビットのパラレルなディジタル信号に変換するプログラマブル論理デバイスを設け、前記回路基板は、前記プロセッサーと送受信可能に接続されるとともに、デコードプログラムを格納するフラッシュメモリと、前記デコードプログラムを実行するとともに、読み取りされる二次元バーコードを含む情報をレジュームするための内部メモリをさらに備えることを特徴とするバーコード読取装置を提供する。
【００１３】
請求項８記載の考案は、カードスウイープのスロットを有するケースと、該ケースの内に設けられるサポートのサブシステムからなるバーコード読取装置であって、前記サポートのサブシステムは、前記カードスウイープのスロットと同様の形状に形成されるサポートと、該サポートを形成する一の側面に固定される光学読取モジュール、回路基板及び該サポートの他の側面から前記一の側面に向かって固定されるとともに、前記スロットの一の側面に設けられる窓から突出し、他の側面に設けられる窓に取り付けられる前記光学読取モジュールへカードを押圧するカード押しスプリングと、前記スロットの流れ方向に沿うとともに、前記光学読取モジュールを間に挟んで相対的に配設されるカードの走行を感知する第一及び第二のカード感知器と、前記光学読取モジュールは、前記カードスウイープのスロットの走行方向に対して垂直に設けられるラインアレイ光電センサー或はエリアアレイ光電センサーを有し、前記光学読取モジュール及び第一と第二のカード感知器は、前記回路基板と電気的に接続され、前記ケースは、前記カードスウイープのスロットを有するカバーと、前記カバーの下部に設けられる底蓋からなり、前記サポートのサブシステムは前記カバーの内に固定されていることを特徴とするバーコード読取装置を提供する。
これらの考案を提供することによって、上記課題を悉く解決する。
【考案の効果】
【００１４】
本考案で開示されるカードスロットを有するとともにカードスウイープ方式によって二次元バーコードを読み取るバーコード読取装置は、スロット式設計構造を有している。
本装置は、更に、二次元バーコードのカードを読み取るとともに、各種ファイルのエッジに印刷される二次元バーコードをも読み取ることができ、広範囲に亘る適用性を有している。更に、カードの材質に対しての要求が低く、読取速度が従来よりも格段に速く、二つのカード感知器を有するので、二方向のカードスウイープ方向を利用することができる。
又、バーコードカードスウイープ装置にラインアレイ或はエリアアレイセンサーを採用しているので、一次元バーコードを読み取りすることができるとともに、二次元バーコードを解読することができる。
回路基板の制御回路には、フラッシュメモリにデコードプログラムを格納し、内部メモリでデコードプログラムを実行する。そして、プログラマブル論理デバイスによってディジタル信号をＤＭＡ方式でプロセッサーにパラレルに入力する。パラレル入力を行うことによって処理速度を高速化することができるとともに、データ伝送中のプロセッサーの負担を軽減化することができる。更に、画像データの収集と伝送及びプロセッサーでの画像処理をパラレルに処理できる。
【００１５】
又、本考案の特徴は、使用者がカードスウイープ方式によって、二次元バーコードをレコードインすることにある。
このような方式で入力する情報量は、従来の一次元バーコード方式で保存される情報量と比べて百倍よりも大きくなる。又、二次元バーコードの技術が複雑で、情報量を増加させることができ、安全性を高めるとともに偽造防止効果を改善することができる。
このようなカードスウイープ装置は、カードの材質に依存することが全く無く、読み取り処理速度が高く、そしてカード、また他の材質のエッジに印刷する二次元バーコードを読み取ることができる。二つのカード感知器を有るので、二つ（双方向）の読み取り方向を利用することができる。
回路基板の制御回路には、フラッシュメモリにデコードプログラムを格納し、内部メモリでデコードプログラムを実行する。そして、プログラマブル論理デバイスによってディジタル信号をＤＭＡ方式でプロセッサーにパラレルに入力する。パラレル入力を行うことによって処理速度を高速化することができるとともに、データ伝送中のプロセッサーの負担を軽減化することができる。更に、画像データの収集と伝送及びプロセッサーでの画像処理をパラレルに処理できる。
【考案を実施するための最良の形態】
【００１６】
本考案を実施するための最良の形態を説明する。
図１に示すように、本考案のバーコード読取装置の外側の上部に開口するスロットを設け、文書に印刷された二次元バーコードが該スロットの中を走行し、該バーコードが読み取られ、デコードされ、出力されることになる。
【００１７】
図２は本考案に係るバーコード読取装置の構成の概略展開図である。本装置は、主に三つの部分であるカバー１、サブシステム２と底蓋３から構成されている。
サブシステム２は、カバー１の内部に取り付けられて、カバーの下部を底蓋３で封じ、ねじでこの三つの部分を固定し連結させている。
図２で示すように、カバー１には、押しキーとスピーカーの開口が設けられており、これらの位置はサブシステム２に取り付けるスイッチ２１３とブザー２１４の位置に対応するように決定されている。
カバー１の上部に開口するスロットの両側の内壁にそれぞれサブシステム２の中に設けるカード押しスプリング２２５と光学読取モジュール２２４及び第一と第二のカード感知器２２２、２２３の開口が設けられている。
【００１８】
図３は本考案に係るバーコード読取装置のサブシステムの組み立て関係を示す概略図であり、組み立てられたサブシステム２を主に示す図である。
図２及び図３で示す如く、サブシステム２は、ねじで固定され接続されるプリント基板２１とサブシステムのサポート２２を有し、プリント基板２１上にプロセッサー２１１、モジュラー変換器２１２、スイッチ２１３、ブザー２１４とライトチューブ２１５等の各種電子デバイスが溶接されている。
サブシステム２の内部には、サブシステムのサポート２２の下部に差込接続されるとともに、ねじで固定され、文書或はカードがサブシステムのサポート２２のカードのスロットを通過することを感知できる第一のカード感知器２２２と第二のカード感知器２２３をさらに含み、ねじでサブシステムのサポート２２に固定することができる光学読取モジュール２２４をさらに含んでいる。
該第一と第二のカード感知器２２２、２２３は、光学読取モジュール２２４とプリント基板２１に電気的に接続されている。
サブシステムのサポート２２は、曲折して形成されたカード押しスプリング２２５がねじ込みされて固定されている。カード押しスプリング２２５は、カバー１のカードスロットの側面に設けられた開口から、カードスロットの他の側面に接触するように突設している。
このカード押しスプリング２２５によって、本考案のバーコード読取装置のスロット中を通る文書等を、光学読取モジュール２２４に密接させることができることになり、もっとも効率良く読取効果を得ることができる。
図２で示すように、底蓋３には、底蓋３とバーコード読取装置を計算装置のインタフエースと接続させる接続部品と固定ねじが設けられている。バーコード読取装置と計算装置のインタフエースは、プリント基板２１上のインタフエースのモジュールと電気的に接続されている。
【００１９】
図４は本考案に係るバーコード読取装置の回路構成のブロック図である。
本考案の回路は、プロセッサーと、プロセッサーと双方向に情報を送受信することができるように接続される内部メモリとフラッシュメモリと、外部ＡＣ電源と電源スイッチを有している。
更に、この回路は、ＣＩＳ（接触型画像センサー）モジュール即ち光学読取モジュールと、Ａ/Ｄ変換器と、プログラマブル論理デバイスとをさらに含んでいる。又、計算装置（例えば、ＰＣ）に接続されるインタフエースのモジュール、例えば、ＵＳＢインタフエースやＰ/Ｓ２インタフエースやＣＯＭなどをさらに含んでいる。
プロセッサーは、第一と第二のカード感知器の信号に応じてバーコード読取装置の始動、実行と停止を制御する。
ＣＩＳ読取バーコードによって得た擬似的な図形情報はレベルに変換されてＡ/Ｄ変換器、例えばＷＭ８１５０（英国：Wolfson Microelectronics社製）などに送られて、その後Ａ/Ｄ変換されてディジタル情報が得られる。この変換後、点ごとのアナログ信号が１６ビットのディジタル信号に変換される。この信号がプログラマブル論理デバイス（ＣＰＬＤ）のシリアルに出力される。
プログラマブル論理デバイス(ＣＰＬＤ)のシリアルに出力する信号は、まずロックアップされて、前の８ビットがそのまま維持され、後の８ビットが捨てられて、８ビットのディジタル信号として生成される。
この８ビットのディジタル信号は、ＤＭＡ方式でプロセッサーにパラレルで送信され、画像処理とデコード演算が行われる。デコードが終わったデータは、インタフエースのモジュールを経てＰＣに送られる。
フラッシュメモリがデコードプログラムを格納しているので、これに対して内部メモリがデコードプログラムを実行することができる。
このような処理は、プロセッサーがアナログ信号を処理する処理速度を高め、プロセッサーでのデータ伝送中の負担を減少することができる。画像データの収集と伝送とプロセッサーで画像処理をパラレルに行うことができる。
【００２０】
本考案で使用される電子デバイスは、プロセッサーが読み取りを制御することができるとともに、カードスウイープのスロットを通るカードの位置を感知することができるカード感知器を有している。
更に、バーコード画像を得るための光学読取モジュール（例えば、ＣＩＳ接触式画像センサーモジュール）と、バーコード読取装置の電源をオン／オフするスイッチと、デコードの終了時を通知する音を発する信号発音デバイス（例えば、ブザー）と、デコードの稼動／終了を通知する光信号を放射するための発光デバイス（例えば、ＬＥＤダイオード）と、図形処理とデコードを行うためのプロセッサーと、光学読取デバイスから得たレベル信号を８ビットのディジタル信号に変換するためのＡＦＥと、Ａ/Ｄ（アナログ/ディジタル）変換器と、ＡＦＥとＣＩＳに要するタイムシーケンスの信号を生成し、デコードするようにＡＦＥからのシリアルな信号を８ビットのパラレルな信号に変換するためのＣＰＬＤプログラマブル論理デバイスとを備える。
【００２１】
図５は本考案に係るバーコード読取装置の動作制御過程の概略図である。
図５にタイムシーケンス変換回路と周波数分割回路を含むＣＰＬＤ（プログラマブル論理デバイス）を示す。
まず、プロセッサーによって主クロック周波数（ＭＭＣＣＬＫ）と読み信号（ｎＲＯＥ）を発信し、プログラマブル論理デバイスＣＰＬＤにおける周波数分割回路で論理変換してからＣＩＳ-ＣＬＫ信号を生成し、一の画素の階調を表すアナログ信号を同期にＣＩＳへ出力する。
この時、ＶＳＭＰ信号は、ＡＦＥによってトリガされ、Ａ/Ｄ変換器がアナログ信号を受けてこの信号を１６ビットのディジタル信号に変換する。ＭＣＬＫ信号は、ＡＦＥによってトリガされ、１６ビットの信号をＣＰＬＤに送信する。
タイムシーケンス変換された１６ビット信号は、前８ビットの信号をＤＭＡ方式でプロセッサーのＣＰＵのバッファへ送信する。ここで、ＳＰ信号は、プロセッサーから発信され、ＣＩＳモジュール（光学画像読取モジュール）で受信される一つの読取周期の開始信号である。一のＳＰ周期は、１ライン分のデータを読み取ることを示す。
【００２２】
図６は本考案に係るバーコード読取装置における光学読取モジュール２２４（ＣＩＳ接触型画像センサー）の構成の概略図である。
この光学読取モジュール２２４は、光源２２４２、コネクター２２４３、プリント回路２２４４、光電センサー２２４５、レンズ２２４６とガラス蓋２２４１を含む。
図６で示される如く、ＣＩＳの動作原理を説明する。
まず、光源から光が放射される。この光がガラス蓋を通じて読み取られる図形を照射する。図形に照射され反射された光は、ガラス蓋を介して、レンズで集光され、光電デテクターによって受信されて電気信号に変換される。
ＣＩＳには、複数の光電検知デバイスからなるアレイ光電センサー２２４５が配設されている。この配設されるアレイ光電センサー２２４５はラインアレイを採用することができ、エリアアレイを採用することもできる。
ＣＩＳモジュールは、ＳＰ信号を受けてから光源からの光を読み取られる画像へ照射し、この時読み取られる画像が反射する光をレンズによって集光し、この集光された光を光電デテクターで受光して電気信号を生成する。
この電気信号は、シフタレジスターにレジストされる。シフタレジスターの内部で格納される複数の感光が行われることで生じる点の信号は、ＣＩＳ-ＣＬＫ信号でトリガされて、順次出力される。
【００２３】
本考案の使用方法を以下に説明する。
使用者は、カードをカードスウイープのスロットに沿って走行させる。
第一のカード感知器２２２或は第二のカード感知器２２３は、カードを感知してから、光学読取モジュール２２４を実行させる。
スロットに挿入されたカードは、カード押しスプリング２２５の圧力で光学読取モジュール２２４が設けられる窓に密接させられる。
光学読取モジュール２２４の窓を通り、光学読取モジュール２２４がカードから反射する光を受けて、擬似的な画像信号を得る。この擬似の画像信号をモジュラー変換器に送る。
モジュラー変換したディジタル画像信号は、プロセッサーに送信されてデコードされる。
カード感知器２２２とカード感知器２２３が、ともにカードを感知しなければ、光学読取モジュール２２４の動作が停止される。
デコードが終了すると、発音デバイス２１４が音声信号を発音するとともに、ライトチューブ２１５が光信号を発光して使用者へデコードが終了したことを通知する。
【００２４】
バーコード読取装置にラインアレイ或はエリアアレイセンサーを用いるので、本発明は一次元バーコードを読み取るだけでなく、二次元バーコードを解読することができる。
又、カードの感知器を二つ有するので、二つの読取方向を保持することができる。スロット式設計は、広範囲に亘る適用性を有している。
【図面の簡単な説明】
【００２５】
【図１】本考案に係るバーコード読取装置の外観図である。
【図２】本考案に係るバーコード読取装置の構成の概略展開図である。
【図３】本考案に係るバーコード読取装置のサブシステムの組み立て状態を示す概略図である。
【図４】本考案に係るバーコード読取装置の回路構成のブロック図である。
【図５】本考案に係るバーコード読取装置の動作制御過程の概略図である。
【図６】本考案に係るバーコード読取装置における光学読取モジュールの構成の概略図である。
【符号の説明】
【００２６】
１-カバー
２-サブシステム
２１-プリント基板
２１１-プロセッサー
２１２-モジュラー変換器
２１３-スイッチ
２１４-ブザー
２１５-ライトチューブ
２２-サブシステムのサポート
２２２-第一のカード感知器
２２３-第二のカード感知器
２２４-光学読取モジュール
２２５-カード押しスプリング
２２４１-ガラス蓋
２２４２-光源
２２４３-コネクター
２２４４-プリント回路
２２４５-光電センサー
２２４６-レンズ
３-底蓋
【図１】
0003102600.tif 000003
【図２】
0003102600.tif 000004
【図３】
0003102600.tif 000005
【図４】
0003102600.tif 000006
【図５】
0003102600.tif 000007
【図６】
0003102600.tif 000008